(57)【要約】      （修正有）【課題】調湿性石膏ボード等の調湿性材料の持つ優れた調湿性能を可視化して展示する機能を有する簡便な展示装置を提供する。【解決手段】少なくとも、互いに接近・隣接して設置され、内部を外側からそれぞれ観察可能に構成されてなる第１のケース１１および第２のケース１２を有する調湿性材料の調湿性能を視認させるための展示装置であり、前記第１のケースは少なくとも４面を有し、これらの面で第１の密閉空間が形成される構造をもち、少なくとも１の面が調湿性材料で形成され、かつ、他の少なくとも１の面の一部または全部に内部を観察できる透明部分が設けられ、前記第２のケースは、第２の密閉空間が非調湿性材料で形成される以外は前記第１のケースと同大で同一形状を有してなり、前記第１・第２のケースは、各々の内部に水蒸気発生装置１３と、目視による見え方の違いを知覚するための標識部材１４が配置される展示装置。【選択図】図１
0003184921.tif 000002
【実用新案登録請求の範囲】
【請求項１】
少なくとも、互いに接近してまたは隣接して設置され、内部を外側からそれぞれ観察可能に構成されてなる第１のケースおよび第２のケースを有する調湿性材料の調湿性能を視認させるための展示装置であって、
前記第１のケースは、少なくとも４面を有し、これらの面で第１の密閉空間が形成される構造をもち、その少なくとも１の面が調湿性材料で形成され、かつ、他の少なくとも１の面の一部または全部に、内部を観察できる透明部分が設けられており、
前記第２のケースは、第２の密閉空間が非調湿性材料で形成されている以外は、前記第１のケースと同大で同一形状を有してなり、
前記第１のケースおよび前記第２のケースは、それぞれの内部に、水蒸気発生装置と、目視による見え方の違いを知覚させるための標識部材が配置されていることを特徴とする展示装置。
【請求項２】
間仕切り板によって第１のケースと第２のケースの２つの部分に区画され、これらのケース部分の内部を外側からそれぞれ観察可能に構成されてなる、調湿性材料の調湿性能を視認させるための展示装置であって、
前記第１のケースの部分は、少なくとも４面を有し、これらの面で第１の密閉空間が形成される構造をもち、その少なくとも１の面が調湿性材料で形成され、かつ、他の少なくとも１の面の一部または全部に、内部を観察できる透明部分が設けられており、
前記第２のケースの部分は、第２の密閉空間が非調湿性材料で形成されている以外は、前記第１のケースの部分と同大で同一形状を有してなり、
前記第１のケースの部分および前記第２のケースの部分は、それぞれの内部に、水蒸気発生装置と、目視による見え方の違いを知覚させるための標識部材が配置されていることを特徴とする展示装置。
【請求項３】
前記第１のケース又は前記第１のケースの部分は、透明部分を有する面を除く全ての面が、調湿性材料で形成されてなる請求項１または２に記載の展示装置。
【請求項４】
前記調湿性材料が調湿性を付与された調湿性石膏ボードであり、かつ、前記第２のケース又は前記第２のケースの部分は、透明部分を有する面を除く全ての面が石膏ボードで形成されている請求項３に記載の展示装置。
【請求項５】
前記第１及び前記第２の密閉空間が、６面で囲まれてなる六面体形状であって、かつ、観察者に向く側の少なくとも１面の全部が透明な材料で形成されている請求項１〜４のいずれか１項に記載の展示装置。
【請求項６】
前記標識部材が、表面に彩色された図柄が描かれた置物、あるいは、動物、キャラクター、人、または怪獣を象った人形の少なくともいずれかである請求項１〜５のいずれか１項に記載の展示装置。
【請求項７】
前記第１及び前記第２の密閉空間のそれぞれの内部に、さらに光源が設けられている請求項１〜６のいずれか１項に記載の展示装置。
【請求項８】
前記調湿性材料は、その表面に透湿性の壁紙が貼られている請求項１〜７のいずれか１項に記載の展示装置。
【考案の詳細な説明】
【技術分野】
【０００１】
本考案は展示装置に係り、特に調湿性材料の調湿性能を展示する展示装置に関する。
【背景技術】
【０００２】
高温多湿の気候条件下では、住宅の押入れなど、空気が滞留しやすい場所に湿気がたまり、結露が発生しやすい。特に、近年、住宅の気密化が進み、結露が発生する場所や頻度が増えている。結露が発生すると、カビが発生したり、ダニが繁殖してアレルギー疾患の要因となる。一方、アレルギー疾患は、社会現象化しており、近年、生活空間の改善は重要な問題となっている。
【０００３】
これに対し、生活空間における湿気を快適な状態に調整することが可能な調湿性材料が種々提案されており、内装材に使われるようになってきている。例えば、耐火材料として広範に使用されている石膏ボードにおいても、石膏スラリー中に、シリカゲルや珪藻土の一種である珪質頁岩等の吸放湿性に優れる無機材料を含有させて作製した高い調湿性能を付与した調湿性石膏ボードが開発され、販売されている。特に、上記のようにして調製された調湿性石膏ボードは無機材料であり、この点からもアレルギー対策に適した有用な材料である。
【０００４】
しかしながら、調湿性能は知覚させづらい特性であり、調湿性石膏ボード等の調湿性材料は有用な機能性材料でありながら、その普及が進まないといった問題があった。すなわち、調湿性石膏ボード等の調湿性材料からなる建材の普及にあたっては、例えば、種々の比較データーを用いて調湿性（吸放湿性）に優れることを示す方法や、調湿性材料のサンプル品に水をかけてその吸水性の高さをアピールするといった方法が一般的であり、施主や住宅メーカーなどの需要者に調湿性材料の持つ優れた性能を十分にアピールできていなかった。
【０００５】
これに対し、材料の調湿性能を知覚させる方法として、特許文献１では、室内を調湿性材料で形成した部屋と調湿性を有しない材料（非調湿性材料）で形成した部屋を実際に造り、それぞれの部屋に人が入って快適度を体感できる設備が提案されている。また、特許文献２では、調湿性材料の調湿性能を比較展示するための装置を提案している。
【先行技術文献】
【特許文献】
【０００６】
【特許文献１】特開２００５−２２７５１５号公報
【特許文献２】特開２００６−３４６１１９号公報
【考案の概要】
【考案が解決しようとする課題】
【０００７】
しかしながら、特許文献１に開示された設備は、大型で設置場所が限られ、また設置コストがかかり、一旦設置すると移動させることが難しく、調湿性材料の持つ優れた性能を簡便にアピールできるものではなかった。
【０００８】
これに対し、特許文献２に記載された装置は簡便なものであるものの、需要者に調湿性材料の持つ優れた性能を十分にアピールできるものであるとは言い難かった。すなわち、特許文献２に記載された装置は、調湿性材料の有無によるケース内の湿度の違いを、湿度インジケータや結露の有無で視認させるものであり、比較データーを、目前の実測値で示すといった点では従来よりも直接的なアピールができるものの、静的な情報の発信にとどまり、近年における調湿性材料の持つ優れた機能が驚きをもって迎えられる動的な情報発信を伴うものではなかった。
【０００９】
本考案の目的は、上記した従来技術の問題を解決し、調湿性石膏ボード等の調湿性材料の持つ優れた調湿性能を可視化する機能を有する簡便な展示装置を提供することにある。本考案の目的は、それにより、調湿性材料が有する高機能性を、目前で展開される事象によってアピールし、これによって調湿性石膏ボード等の調湿性材料の住宅への普及を促進することで、住む人により快適な生活空間を提供することにある。
【課題を解決するための手段】
【００１０】
上記の目的は、以下の本考案によって達成される。すなわち、本考案の第１の実施形態は、少なくとも、互いに接近してまたは隣接して設置され、内部を外側からそれぞれ観察可能に構成されてなる第１のケースおよび第２のケースを有する調湿性材料の調湿性能を視認させるための展示装置であって、前記第１のケースは、少なくとも４面を有し、これらの面で第１の密閉空間が形成される構造をもち、その少なくとも１の面が調湿性材料で形成され、かつ、他の少なくとも１の面の一部または全部に、内部を観察できる透明部分が設けられており、前記第２のケースは、第２の密閉空間が非調湿性材料で形成されている以外は、前記第１のケースと同大で同一形状を有してなり、前記第１のケースおよび前記第２のケースは、それぞれの内部に、水蒸気発生装置と、目視による見え方の違いを知覚させるための標識部材が配置されていることを特徴とする展示装置を提供する。
【００１１】
また本考案の第２の実施形態は、間仕切り板によって第１のケースと第２のケースの２つの部分に区画され、これらのケース部分の内部を外側からそれぞれ観察可能に構成されてなる、調湿性材料の調湿性能を視認させるための展示装置であって、前記第１のケースの部分は、少なくとも４面を有し、これらの面で第１の密閉空間が形成される構造をもち、その少なくとも１の面が調湿性材料で形成され、かつ、他の少なくとも１の面の一部または全部に、内部を観察できる透明部分が設けられており、前記第２のケースの部分は、第２の密閉空間が非調湿性材料で形成されている以外は、前記第１のケースの部分と同大で同一形状を有してなり、前記第１のケースの部分および前記第２のケースの部分は、それぞれの内部に、水蒸気発生装置と、目視による見え方の違いを知覚させるための標識部材が配置されていることを特徴とする展示装置を提供する。
【００１２】
上記本考案の好ましい形態としては、下記のものが挙げられる。前記第１のケース又は前記第１のケースの部分は、透明部分を有する面を除く全ての面が、調湿性材料で形成されてなること；前記調湿性材料が調湿性を付与された調湿性石膏ボードであり、かつ、前記第２のケース又は前記第２のケースの部分は、透明部分を有する面を除く全ての面が石膏ボードで形成されていること；前記第１及び前記第２の密閉空間が、６面で囲まれてなる六面体形状であって、かつ、観察者に向く側の少なくとも１面の全部が透明な材料で形成されていること；前記標識部材が、表面に彩色された図柄が描かれた置物、あるいは、動物、キャラクター、人、または怪獣を象った人形の少なくともいずれかであること；前記第１及び前記第２の密閉空間のそれぞれの内部に、さらに光源が設けられていること；前記調湿性材料は、その表面に透湿性の壁紙が貼られていること；が好ましい。
【考案の効果】
【００１３】
本考案によれば、調湿性石膏ボード等の調湿性材料の持つ優れた調湿性能を簡便な機構で可視化することを達成した、実用価値の高い展示装置が提供される。すなわち、本考案の展示装置を用いることで、観察者の目前で展開される事象によって調湿性材料が有する高機能性をアピールでき、これによって調湿性石膏ボード等の調湿性材料の住宅への普及の促進が図られ、その結果、住む人により快適な生活空間を提供することが可能になる。
【図面の簡単な説明】
【００１４】
【図１】本考案の展示装置の第１の実施形態を模式的に示す斜視図である。
【図２】図１に示す展示装置を用いて調湿性能の違いを示す様子を、模式的に示す正面図である。
【図３】本考案の展示装置の第２の実施形態を模式的に示す斜視図である。
【考案を実施するための形態】
【００１５】
以下、本考案の好ましい実施の形態を、図面を参照しながら具体的に説明するが、本考案はこれに限定されるものではない。図１に、本考案の展示装置の第１の実施形態の好ましい一例を示す。展示装置１は、図１に示すように、少なくとも第１のケース１１および第２のケース１２を有してなる。
【００１６】
例示した第１のケース１１は、図１に示すように、４面の側面と、上面および下面の６面からなる一体構造の六面体形状を有する。そして、第１のケースは、これらの面により、第１の密閉空間が形成される構造を持つが、例えば、前記６面のうちの１面を、開閉可能な構造にしておけば、内部に水蒸気発生装置を配置する場合などに便利である。ただし、この際に設ける開閉構造は、形成される空間の密閉状態が維持できるものであることを要する。具体的には、蝶番を用いて１面を開閉可能にした構造や、１面を取り外し可能にし、使用時に嵌め込む構造を利用することができ、いずれの場合も、例えば、ゴムパッキン等を用いるといった方法で、空間内の気密性が維持できるようにすることがより好ましい。
【００１７】
本考案を構成する第１のケースは、上記の例示の形態に限定されるものでなく、少なくとも４面を有し、密閉空間が形成される構造を有していればよい。例えば、下面を一体に設けずに、一体に設けた３面で密閉空間の側面を形成し、他の部材や展示用の台の天板等で下面を形成する三角錐状の密閉空間を形成する構造としてもよい。いずれにしても、密閉空間が形成される構造であればよい。また、面の数は、これらの面によって形成される密閉空間を用いて、調湿性材料の持つ優れた調湿機能を可視化でき、観察者が、この点を目視によって十分に認識できるものであれば、特に限定されない。図１に示した例では、それぞれの側面および上面、下面は、正方形または長方形であるが、これらの面の形状に特に限りはない。すなわち、第１のケースの形状は、図１に示したような六面体形状に限られず、住宅用建材を強く印象付ける点から、例えば、上面が屋根のように２つの斜面からなる形状とするといったことも好ましい形態である。
【００１８】
図１に例示した展示装置では、正面２１の全面が透明な材料で形成されていて、ケース内部が視認できる構成となっている。ただし、本考案はこれに限定されず、空間内部を観察できるものであれば、面の一部に透明部分が形成された構造のものでもよい。また、透明部分を有する面が２面以上あってもよい。透明な材料としては、アクリルあるいはガラスが好適に用いられる。
【００１９】
本考案の展示装置では、第１のケースの、上記のようにして形成した外部から観察可能に構成した第１の密閉空間を用いて、調湿性材料の持つ優れた調湿機能を可視化させる。このため、例示した第１のケース１１では、全面を透明な材料で形成した正面を除く３面、すなわち両側面２２、２４、背面２３と、上面２５および下面２６の５面を調湿性材料で形成した。本考案の展示装置では、第１のケース１１を構成する少なくとも４面のうちの少なくとも１の面を、調湿性材料で形成したものであればよいが、上記した例のようにすれば、調湿性材料の有する調湿機能の可視化がより容易になる。対象とする調湿性材料は、特に限定されず、例えば、従来の石膏ボードに調湿性を付与した調湿性石膏ボードや、表面を多孔質構造としたり、高い吸放湿性を示す材料で改質する等の方法で調湿機能を付与した木製や樹脂製の各種材料からなるボードなどが挙げられる。石膏ボードは、その優れた耐火性から、住空間の形成材料として広く用いられており、近年、高い調湿性能を示す調湿性石膏ボードが種々提案されている。調湿性石膏ボードとしては、例えば、高い吸放湿性能を示す材料を石膏芯に含有させたもの等が知られている。調湿性能を示す材料としては、炭酸カルシウム、シリカゲル、硅酸カルシウム、珪質頁岩（珪藻土）、多孔質炭化物等々が使用可能である。
【００２０】
上記した調湿性石膏ボードは、ケースの内側表面に透湿性の壁紙が貼られているものであってもよい。実際の住宅では、石膏ボードを下地材とし、表面に壁紙が貼られる。そこで、壁紙を貼ることで、調湿性石膏ボードが実際に使用される状態での展示をすることが可能となる。調湿性石膏ボードの調湿性能を損なわないようにするため、壁紙を貼る場合には透湿性のものを用いることが好ましい。
【００２１】
上記のようにして構成した第１のケース１１との比較対象に用いる第２のケース１２は、第２の密閉空間が非調湿性材料で形成されている以外は、上記した第１のケース１１と同様の形状および大きさを有する。このように構成することで、両者の違いが、使用した調湿性材料と非調湿性材料のみになるので、後述する調湿性材料の調湿機能の発現を目視による違いとしてより際立たせて知覚させることができる。その結果、本考案が目的とする、展示装置を用いて、調湿性材料の調湿性能を可視化して観察者に視認させる効果をより大きなものにできる。
【００２２】
例示した第２のケース１２では、非調湿性材料として調湿性能を付与していない通常の石膏ボードを用いた。このように、第２のケースに用いられる非調湿性材料としては、第１のケースで調湿性石膏ボードを用いた場合には、その比較対象として、調湿性能を付与していない通常の石膏ボードを用いることが好ましい。しかし、これに限定されず、建材として使用可能な、例えば、木材や樹脂板などでもよく、このようにすれば、調湿性能を視認させる対象の第１のケース１１を構成する調湿性石膏ボードと、各種材料からなる種々の建材との調湿性の比較が可能になり、多様な比較が可能になる。すなわち、本考案の展示装置では、第１のケースと第２のケースに設けられたそれぞれの密閉空間を構成する形成材料における調湿性能の違いを視認可能にすることを目的としているため、調湿性材料の有する高い調湿性能を相対的に観察者に視覚により知覚させることができればよく、したがって、調湿性材料も非調湿性材料も特に限定されるものではない。本考案では、調湿性材料の代表例として調湿性石膏ボードを用い、その比較の対象として調湿性能を付与していない通常の石膏ボードを用いた例で説明しているが、通常の石膏ボードを、調湿性能を付与されていないという意味で、調湿性石膏ボードと区別して非調湿性石膏ボードという場合がある。
【００２３】
上記したように、本考案の展示装置は、比較展示の観点から、第２のケースは、第１のケースと、形状や大きさを同じに形成する。例示したものでは、具体的には、第２のケース１２は、上記観点から、第１のケースと同様の形状および大きさで形成され、図１に示すように、正面３１は全面が透明な材料で形成される。また、第２のケースは、この正面を除く３面、すなわち両側面３２、３４と背面３３、上面３５、および下面３６の５面が、非調湿性石膏ボードで形成されている。
【００２４】
本考案の第１の実施形態では、上記のように構成されてなる第１のケースおよび第２のケースは、図１に示すように、２つのケースが横に並べられ、間に隙間を有して、互いに接近して設置される。これに限定されず、２つのケースの間に隙間がなく隣接して設置されてもよい。展示面積が限られているような場合には、どちらかのケースを他のケースの上に載せて設置することもできる。
【００２５】
第１のケースおよび第２のケースは、透明部分を有する面が観察者に向く側に設置される。図１は、一例として、観察者が正面側から観察する場合を示しており、第１のケースおよび第２のケースは、全面が透明な材料で形成される面２１および３１を正面側に向けて設置される。なお、観察者が、背面など他の方向から観察する場合には、第１のケースおよび第２のケースの透明部分を有する面が観察者に向くように、ケースを設置する。
【００２６】
以下、上記のように構成された第１のケースおよび第２のケースを用いて、調湿性材料の調湿性能を視認させる手段について説明する。図１に示す展示装置を用いて調湿性能の違いを展示する様子を、図２に模式的に示す。まず、図１、２に示したように、上記のように構成された第１のケースおよび第２のケースには、それぞれの密閉空間の内部に、水蒸気発生装置１３、および標識部材１４を配置する。この場合、同一条件下での比較であることをアピールするためには、特に水蒸気発生装置１３は同じものを同じ位置に配置することが好ましく、標識部材１４についても同等品を同じ位置に配置することが好ましい。
【００２７】
水蒸気発生装置１３は、水蒸気又は霧（以下、単に「水蒸気」という。）を発生させることができる装置であればどのような装置であってもよい。例えば、水を加熱して、又は超音波を利用して水蒸気を発生させる方式の加湿器が利用可能であり、素早く水蒸気を発生させることが可能で、かつ、密閉空間内の温度に影響を与えにくい超音波を利用した方式の加湿器が好適に用いられる。また、加湿器を用いる場合はコンパクトなものがよい。
【００２８】
本考案の展示装置では、それぞれのケース内部において、前記水蒸気発生装置で水蒸気を発生させ、観察者に、第１のケースの密閉空間と第２のケースの密閉空間とで、その密閉空間の形成材料の違いによって生じる水蒸気が消失する様子を目視させる。そして、上記したように、それぞれの密閉空間の内部に水蒸気発生装置が配置されているので、図２に示すように、調湿性材料を用いてなる第１のケース内では水蒸気が速やかに消失し、一方の第２のケース内では水蒸気の消失が遅いことが、水蒸気発生装置の見え方の違いによって明確に視認される。その事象が生じた時点で、第１のケースを構成している調湿性材料についての説明をすれば、観察者に、第２のケースを構成している材料との機能の著しい違いを強く印象づけることができる。
【００２９】
本考案の展示装置では、水蒸気が発生してそれぞれのケース内に充満すること、および第１のケースでは速やかに水蒸気が消失することを目視によって観察者により印象深く知覚させるため、第１のケースおよび第２のケースのそれぞれの内部に、標識部材１４を配置する。標識部材は、例えば、黒、青、黄色、赤、緑などの色で彩色されたものであることが好ましい。このようにすれば、観察者が、白い水蒸気をより視認しやすくできることに加えて、水蒸気を発生させる前に、観察者の注目を、展示装置内に集めるという重要な役割を果たすこともできる。具体的には、より注目を集めやすい、表面に彩色された図柄が描かれた置物、あるいは、動物、キャラクター、人、または怪獣を象った人形、のいずれかが好適である。例えば、動きのある置物を配置することも、観察者の注目を、展示装置内に集めるといった意味で有効な手段である。また、標識部材が２つ以上配置されてもよい。
【００３０】
例示した展示装置では、図２に示すように、動物を象った人形が印刷された標識部材１４が、第１のケースおよび第２のケースの内部に配置されている。標識部材は、できるだけ観察者から離れた位置に配置されると、観察者がケース内の水蒸気の様子を視認しやすい。そこで、前記標識部材は、図２に示すように、背面２３、３３に近い位置にそれぞれ配置されることが好ましい。あるいは、標識部材は、背面２３、３３に前記置物や人形などが掛けられていてもよい。また、背面２３、３３あるいは他の面に、彩色された図柄などが描かれたものを標識部材としてもよい。
【００３１】
さらに、第１のケースおよび第２のケースの各内部のそれぞれに、光源（不図示）を設けることも好ましい形態である。内部に光源があると、ケース内部の水蒸気が光源によって照らされ、観察者がケース内部の様子をより視認しやすくなる。なお、光源についても、上記した比較展示の観点から、同じものを同じ位置に配置することが好ましい。
【００３２】
本考案の展示装置は、可能な限りコンパクトに形成して、持ち運び可能な大きさとする。このように構成することで、設置場所に制限なく、どこでも調湿性能を展示することができる。また、上部に持ち運び用の取っ手１５を設けることが好ましい。
【００３３】
第１のケース、第２のケースは、密閉空間が形成されるような構造にすれば、それぞれ、４面の側面、上面および下面をそれぞれ取り外し、および組み立て可能な構造としてもよい。これにより、さらに容量を小さくして持ち運びやすくできる。
【００３４】
図３に、本考案の展示装置１０の第２の実施形態の好ましい一例を示す。第２の実施形態において、第１の実施形態と同じ部材を用いている場合には、同じ符号を付し、その説明を省略する。
【００３５】
展示装置１０は、間仕切り板４１によって、第１のケースの部分と第２のケースの部分の２つの部分に区画される。２つの部分に区画して第１のケースの部分と第２のケースの部分が形成されている点が、第１のケースと第２のケースがそれぞれ別体として形成されている第１の実施形態の展示装置と異なる。例示した展示装置は、第１のケースの部分および第２のケースの部分の形状などは、第１の実施形態におけるそれぞれのケースと同じである。第２の実施形態において特有の間仕切り板は、図示した例に限定されず、第１のケースの部分および第２のケースの部分の、いずれかの面を共用する構成のものであればよい。例えば、図示した例では、図３に示すように、間仕切り板４１は、第１のケースの部分の側面２４および第２のケースの部分の側面３２を共用している。これに限定されず、例えば、展示装置１０が側面２２を下にして設置される場合には、間仕切り板が、第１のケースの部分の上面および第２のケースの部分の下面を共用して構成されることになる。
【００３６】
第２の実施形態においても、第１のケースの部分および第２のケースの部分において、それぞれ、４面の側面、および上面、下面を形成する材料は、前記した第１の実施形態の第１のケースおよび第２のケースと同様にすればよい。
【００３７】
上記した第１あるいは第２の実施形態の本考案の展示装置では、例えば、次に示す方法により、調湿性材料の調湿性能を視認させることができる。
【００３８】
まず、第１のケース（又は第１のケースの部分）、第２のケース（又は第２のケースの部分）の各内部にそれぞれ設置された水蒸気発生装置から、水蒸気を同時に発生させる。ケース内に水蒸気が適度に満たされた状態となったところで水蒸気の発生を止め、透明部分を通して内部の様子を観察する。第２の実施形態の展示装置の場合には、展示装置内部に水蒸気が満たされた状態で、間仕切り板を設置して、第１のケースの部分および第２のケースの部分に区画してもよい。
【００３９】
第１のケースの内部では、水蒸気が調湿材料に吸収されて消失していく様子が観察される。一方、第２のケース内部では、水蒸気がそのまま残っている様子が観察される。場合によっては、時間の経過とともに内面に結露が見られる。
【００４０】
なお、展示する前に、調湿性材料が水蒸気をより速やかに吸湿しやすいように、密閉空間内部の水分量を調整して乾燥状態としておくことが好ましい。本考案でその機能を確認する調湿性石膏ボード等の調湿性材料は、吸放湿性に優れるものであるので、例えば、各ケース内に湿度計を配置するといった方法で、第１のケース内では、吸湿性のみならず、適宜に水分が放湿されて快適な状態に湿度が維持されることを示すことも可能である。
【産業上の利用可能性】
【００４１】
本考案の展示装置は、展示会場や商談の場などに簡便に持ち運ぶことができ、これらの場所に設置して、水蒸気をケース内に充満させる加湿試験を展開することで、施主や住宅メーカーなどに対して、調湿性材料が有する認知しにくい調湿性という優れた機能性を、目前で展開される事象を視認させることによって印象深く、簡便にアピールすることができるので、調湿性材料の普及に寄与でき、その結果、住む人により快適な生活空間を提供するという点で、高い実用価値を有し、その利用が期待される。
【符号の説明】
【００４２】
１，１０：展示装置
１１：第１のケース、第１のケースの部分
１２：第２のケース、第２のケースの部分
１３：水蒸気発生装置
１４：標識部材
１５：取っ手
２１：正面
２２，２４：側面
２３：背面
２５：上面
２６：下面
３１：正面
３２，３４：側面
３３：背面
３５：上面
３６：下面
４１：間仕切り板
【図１】
0003184921.tif 000003
【図２】
0003184921.tif 000004
【図３】
0003184921.tif 000005